(57)【要約】  ステントは血管腔に移植するように構成されている。このステントは、複数のストラットと、磁気共鳴イメージングシステムの共鳴周波数と同調をとる１つの共鳴回路とを備えている。共鳴回路は、少なくとも１つのインダクタと少なくとも１つのコンデンサとからなる。インダクタ（１０）は少なくとも１つのストラット（１５）に巻き付けられている。
2009504237.tif 000002
【特許請求の範囲】
【請求項１】
血管腔に移植するために適したステントであって、複数のストラット及び１つの回路を備え、前記回路は少なくとも１つのインダクタと少なくとも１つのコンデンサを備え、前記回路は磁気共鳴イメージングシステムから印加される共鳴周波数と実質的に等しい共鳴周波数を有し、少なくとも１つのインダクタは少なくとも１つのコンデンサと電気通信し、少なくとも１つインダクタは少なくとも１つのストラットの周りに配置されている、ステント。
【請求項２】
ストラットが金属製である、請求項１に記載のステント。
【請求項３】
ストラットがニオブである、請求項２に記載のステント。
【請求項４】
ストラットがニチノールである、請求項２に記載のステント。
【請求項５】
ストラットが生分解性金属である、請求項２に記載のステント。
【請求項６】
ストラットがポリマー製である、請求項１に記載のステント。
【請求項７】
少なくとも１つのストラットが、長さ、厚さ、および幅を有し、ストラットはその長さに沿ってノッチ領域を画成しており、ノッチ領域は、ストラットの隣接領域の厚さより小さい厚さを有する、請求項１に記載のステント。
【請求項８】
ノッチ領域が、その幅に沿って、ストラットの隣接領域の幅より小さい幅を有する、請求項７に記載のステント。
【請求項９】
少なくとも１つのストラットが、長さ、厚さ、および幅を有し、ストラットはその幅に沿ってノッチ領域を画成しており、ノッチ領域はストラットの隣接領域の幅より小さい幅を有する、請求項１に記載のステント。
【請求項１０】
ノッチ領域が、その長さに沿ってストラットの隣接領域の厚さより小さい厚さを有する、請求項９に記載のステント。
【請求項１１】
少なくとも１つのコンデンサは、少なくとも１つのストラットの縦軸が少なくとも１つのコンデンサの縦軸と実質的に平行に伸びるように少なくとも１つのストラットの周りに配置された実質的に管状の装置であり、少なくとも１つのインダクタはコイルであり、コイルは少なくとも１つのコンデンサの周りに配置されている、請求項１に記載のステント。
【請求項１２】
少なくとも１つのインダクタは少なくとも１つのストラットの周りに配置されたコイルであり、少なくとも１つのコンデンサは、少なくとも１つのストラットの縦軸が少なくとも１つのコンデンサの縦軸と実質的に平行に伸びるようにコイルの周りに配置された実質的に管状の装置である、請求項１に記載のステント。
【請求項１３】
少なくとも１つのコンデンサは、リング状であり、少なくとも１つのストラットの縦軸が少なくとも１つのコンデンサを通って伸びるようにストラットの周りに配置されている、請求項１に記載のステント。
【請求項１４】
少なくとも１つのコンデンサがスタブであり、少なくとも１つのインダクタがコイルである、請求項１に記載のステント。
【請求項１５】
ステント移植片を備えたＭＲＩ共鳴システムの製造方法および使用方法であって、
少なくとも１つの誘導性素子と少なくとも１つの容量性素子とを備え、磁気共鳴イメージングシステムから印加される共鳴周波数と実質的に等しい共鳴周波数を有する回路を用意するステップと、
内部を有するステントのステントストラットの周りに誘導性素子を配置するステップと、
体腔内にＭＲＩ共鳴システムを取り付けるステップと、
ＭＲＩシグナルを印加するステップとを備える、方法。
【請求項１６】
ステントストラット上にノッチ領域を形成するステップをさらに含んでなる、請求項１５に記載の方法。
【請求項１７】
ステントストラットの周りに誘導性素子を配置ステップが、先ずステントストラットの周りに容量性素子を配置するステップを含む、請求項１５に記載の方法。
【請求項１８】
誘導性素子の周りに容量性素子を配置するステップをさらに含む、請求項１５に記載の方法。
【請求項１９】
誘導性素子をステントストラットのノッチ領域の周りに配置する、請求項１６に記載の方法。
【請求項２０】
血管腔に移植するために適したステントであって、前記ステントは複数のストラットと１つの回路を備え、前記回路は少なくとも１つのインダクタと少なくとも１つのコンデンサを含んでなり、前記回路は磁気共鳴イメージングシステムから印加される共鳴周波数と実質的に等しい共鳴周波数を有し、少なくとも１つのインダクタは少なくとも１つのコンデンサと電気通信しており、少なくとも１つのインダクタはコイルであり、少なくとも１つのストラットは、長さ、厚さ、および幅を有しており、ストラットはその幅に沿ってノッチ領域を画成しており、ノッチ領域は少なくとも１つのストラットの隣接領域の幅より小さい幅を有しており、ノッチ領域にはコイルが巻回されている、ステント。
【発明の詳細な説明】
【技術分野】
【０００１】
本発明は、いくつかの実施形態において、移植可能な医療機器、それらの製造および使用法に関する。いくつかの実施形態は、そのような機器のデリバリーに利用されるデリバリーシステム、例えば、あらゆるタイプのカテーテルシステムを対象とする。
【背景技術】
【０００２】
ステントとは、体腔に導入される医療機器であり、当技術分野では周知である。通常、ステントは、血管内の狭窄または動脈瘤部位に、内管腔的に、すなわち、半径方向に縮小された形状、場合により、シースおよび／またはカテーテルで半径方向圧縮形状に抑制されたステントを、ステントデリバリーシステムまたは「イントロデューサー」で所要部位にデリバーする、いわゆる「低侵襲技術」を用いて移植する。イントロデューサーは、体外のアクセス位置から、例えば、患者の皮膚を介するか、ステント挿入血管を簡単な外科的手段で露出させる「静脈切開」法を用いて体内に挿入し得る。
【０００３】
以後ステントと総称する、ステント、グラフト、ステントグラフト、大静脈フィルター、拡張可能な管状部材および類似の移植可能医療機器は、半径方向に拡張可能な人工器官であり、典型的には、経皮導入後に経管移植して半径方向に拡張できる血管内移植片である。ステントは、例えば、脈管系、尿路、胆管、卵管、冠状血管、二次血管内などの多様な体腔または体内脈管に移植し得る。ステントは、体内脈管の強化および脈管系血管形成術後の再狭窄阻止に用い得る。ステントは、自己拡張式、バルーン上に搭載した場合などの半径方向内圧拡張式、または自己拡張式とバルーン拡張式の組み合わせ〔併用拡張式〕であってもよい。
【０００４】
ステントは、管状材料から、カッティングもしくはエッチング処理し、次いでロールしたフラットシートから、または、１つ以上の編成ワイヤもしくはブレードから、デザインをカッティングもしくはエッチング処理するステップを含む方法で形成し得る。
【０００５】
上記に引用かつ／または説明した技術は、本明細書に引用した特許、刊行物または他の情報が本発明に関して「先行技術」であることを承認するものではない。さらに、この項は、調査が行われたこと、または３７Ｃ．Ｆ．Ｒ．１．５６（ａ）に規定されているような他の関連情報が存在することを意味するものと解釈してはならない。
【０００６】
本願に記載のすべてのＵＳ特許および特許出願ならびに他のすべての公開文書はそのまま本明細書に文献援用される。
本発明の範囲を制限することなく、請求の範囲に記載されている本発明のいくつかの実施形態の概要を以下に述べる。要約された本発明実施形態のさらなる詳細および／または本発明の追加の実施形態は、以下の「発明を実施するための最良の形態」で分るであろう。
【０００７】
本明細書における技術開示の要約も、３７Ｃ．Ｆ．Ｒ．１．７２に従うということのみを目的として提供されている。要約書は特許請求の範囲を判断するために用いられるものではない。
【発明の開示】
【発明が解決しようとする課題】
【０００８】
多くの場合、ステント移植後に、患者の移植後ルーチンの一部として、ステントの管腔を検査することが望ましい。さらに、そのような検査には、例えば磁気共鳴イメージング
（ＭＲＩ）などの非侵襲技術を用いるのが好ましい。ＭＲＩは、概して身体について優れたイメージング結果をもたらすものの、ステント構造体の導電性およびＭＲＩプロセスの電磁場に起因するファラデー箱作用の結果として、ステント管腔のイメージングが不十分になることがある。
【課題を解決するための手段】
【０００９】
本発明のいくつかの実施形態において、ストラットと共鳴回路を備えたステントは、血管腔に移植するように構成されている。共鳴回路は、少なくとも１つの誘導性素子と少なくとも１つの容量性素子とを有する。いくつかの実施形態におけるステントストラットは、金属製であり、例えば、ニオブ、ニチノール、または生分解性金属などから製造し得る。あるいは、ステントストラットは、ポリマーから形成することもできる。
【００１０】
他の実施形態において、ステントストラットはノッチを有する。そのような実施形態では、共鳴回路の外形を小さくするために回路をノッチ領域に巻き付け得る。
少なくとも１つの実施形態において、共鳴回路の容量性素子は管状であり得る。そのような実施形態において、管状形容量性素子は、ステントストラットの周りに配置し得る。さらに、共鳴回路の誘導性素子は、コイルとして成形し、管状コンデンサに電気接続して、コンデンサに巻き付け得る。あるいは、コイル状誘導性素子をステントストラットの周りに巻き付けてから、管状形容量性素子をスリーブのようにコイル上に取り付けてコイルと電気接続してもよい。
【００１１】
いくつかの実施形態において、共鳴回路の容量性素子はリング状であり、ステントストラットの周りに配置される。
少なくとも１つの実施形態において、共鳴回路の容量性素子はスタブであり得る。スタブとは、例えばキャパシタンスなどの特定の電気特性を生成するように設計された、構造体から外側に突出する導電性物質片である。そのような実施形態において、誘導性素子は、ステントストラットに巻き付けたコイルであってよく、コイルの１端にはスタブが電機接続されてそこから外側に伸びている。
【００１２】
上述のステントの製造および使用法はさまざまな形態で実装し得る。例えば、いくつかの実施形態において、ステント移植片を備えたＭＲＩ共鳴システムは、少なくとも１つの容量性素子と少なくとも１つの誘導性素子とを有する共鳴回路を含むように形成し得る。さらに、共鳴回路は、ＭＲＩシグナルと実質的に同じ周波数で共鳴するように同調をとる。次いで、共鳴回路をステントストラットの周りに配置する。ＭＲＩ共鳴システムを体腔内に配置した後で、ＭＲＩシグナルを印加する。
【００１３】
少なくとも１つの実施形態において、ステント移植片を備えたＭＲＩ共鳴システムの製造法は、ステントストラット上にノッチ部を形成するステップを含み得る。いくつかの実施形態においては、その後で、ステントストラット上のノッチ部の周りに容量性素子を配置し得る。あるいは、他の実施形態では、容量性素子を誘導性素子の周りに形成する。
【００１４】
特に図面を参照して以下に本発明を詳細に説明する。
【発明を実施するための最良の形態】
【００１５】
本発明は多くの異なる形態で実装し得るが、本明細書では、本発明の好ましい実施形態を詳細に説明する。この説明は、本発明の原理を例示するものであって、本発明を例示されている特定の実施形態に限定するものではない。
【００１６】
この開示のために、特段の指示がない限り、図面中の同じ参照数字は同じ構成部品を指すものとする。
図面に描かれているのは本発明のさまざまな態様である。１つの図面に描かれている要素は、必要に応じ、別の図面に描かれている要素と組み合わせたり、かつ／または交換したりし得る。
【００１７】
図１は本発明の１実施形態の斜視図である。共鳴回路は、全体として２０で示すステントのストラット１５の周りにコイル１０を巻き付けることによって得られる。コイルは１本のストラットの周りに巻き付け得るが、コイルはコンデンサに接続しなければならず、またステント内部を増幅させるために共鳴回路をステント内部に少なくとも１回巡らさなければならない。共鳴回路は、移植前に、その共鳴周波数がＭＲＩシステムの共鳴周波数と実質的に等しくなるように同調をとる。異なる素子は異なる周波数（ラーモア周波数）で歳差運動するので、共鳴回路の共鳴周波数は主磁場内で用いる成分に応じて異なる。例えば、水素を用いる場合、共鳴回路は、１テスラで４２．５８ＭＨｚに合わせる必要がある（また、リンの場合、１テスラで１７．２５ＭＨｚ、ナトリウムの場合は、１１．２７ＮＨｚ、フッ素の場合、４０．０８ＭＨｚ）。次いで、コイル１０とステント２０を血管腔内に移植する。
【００１８】
本発明のいくつかの実施形態において、ストラット１５は、例えば、ニオブ、ニチノールまたは生分解性金属などの金属製である。他の実施形態では、ストラット１５はポリマー製であり得る。また、コイル１０の形成に生分解性金属を使うことも可能であり、そのようにすると、コイル１０とステント２０が内腔内で分解するので、それらを抜去するという別の医療処置が不要になる。
【００１９】
いくつかの実施形態において、ステント、デリバリーシステムまたは他のアセンブリー部分は、例えば、Ｘ線、ＭＲＩ、超音波などのようなイメージングモダリティーで検出可能な１つ以上の領域、バンド、コーティング、部材などを含み得る。いくつかの実施形態において、ステントおよび／または隣接アセンブリーの少なくとも一部は、少なくとも部分的に放射線不透過性である。
【００２０】
本発明の少なくとも１つの実施形態において、図２は、ノッチ領域２５を有するストラット１５を示している。ステントストラットが管状の場合、ストラットのノッチ領域２５の直径は隣接領域の直径より小さい。ステントストラットが管状でない場合、ストラットのノッチ領域２５の幅および／または厚さは隣接領域の幅および／または厚さより小さい。したがって、コイル（図示せず）をストラット１５のノッチ領域２５に巻き付けて、回路／ストラット組み合わせの外形を小さくすることができる。例として役立つノッチ領域２５付ストラット１５を図２ａ〜２ｄに示す。
【００２１】
いくつかの実施形態において、ステントの少なくとも一部は、治療剤をデリバリーするための１つ以上の機構を有するように構成されている。多くの場合、治療剤は、ステント移植部位またはそれに隣接する領域で治療剤を放出するように構成されたステント表面のコーティングまたは他の物質層形態内に含まれているであろう。
【００２２】
治療剤は、薬物または他の医薬品、例えば、非遺伝子剤、遺伝子剤、細胞物質などであり得る。適当な非遺伝子治療剤の例としては、ヘパリン、ヘパリン誘導体などの抗血栓剤、血管細胞増殖促進剤、増殖因子阻害剤、パクリタキセルなどが挙げられるが、それらには限定されない。治療剤が遺伝子治療剤を含む場合、そのような遺伝子剤には、ＤＮＡ、ＲＮＡおよびそれらの個々の誘導体および／または成分；ヘッジホッグタンパク質などが含まれるが、それらには限定されない。治療剤が細胞物質を含む場合、細胞物質としては、ヒト由来および／または非ヒト由来細胞ならびにそれらの個々の成分および／またはその誘導体が挙げられるが、それらには限定されない。治療剤がポリマー剤を含む場合、ポリマー剤は、ピルスチレン−ポリイソブチレン−ポリスチレントリブロックコポリマー（
ＳＩＢＳ）、ポリエチレンオキシド、シリコーンゴムおよび／または任意の他の適当な基質であり得る。
【００２３】
図３は、回路の容量性素子を、ストラット１５の周りに配置され、ストラット１５の縦軸１２に実質的に平行に伸びる実質的に管状の装置３０として描いている。この実施形態においては、誘導性コイル（図示せず）は、管状容量性素子３０に巻きつけて、素子３０と電気接続させ得る。あるいは、容量性素子は、図４に示すように、ステントストラット１５に巻き付けたコイル１０の周りに配置された実質的に管状の装置３５であり得る。実質的に管状の装置３５は、ストラット１５の縦軸１２と実質的に平行に伸びている。コイルおよび／またはコンデンサは単一ストラットの周りに巻き付けることができるが、ステント内部を増幅させるために共鳴回路を少なくとも１回ステント中に巡らせなければならない。容量性素子は、管状に代わるものとして、図４ａに示すように、ステントストラット１５に巻き付けられたコイル１０に取り付けたスタブ１１であってよい。スタブとは、例えばキャパシタンスなどの特定の電気的特性を生成するように設計された、構造体から外側に突出する導電性物質片である。図５および図６にあるような他の実施形態において、容量性素子４０はリング状であり得る。
【００２４】
本発明の別の実施形態では、コイルはストラットに巻き付けるのではなく、ステントの外側に取り付ける。図７は、コイル４５がステント２０の外側に取り付けられている、全体として２０で示す非拡張状態のステントを示している。拡張式ステントが非拡張状態にあるとき、これも非拡張状態にあり、拡張されたステントとサイズが等しいコイルには、図７に４５で描かれている余分な材料（すなわち「ゆるみ」）があるであろう。しかし、図８に全体として２０で示すように、ステントが拡張すると、コイル５０が拡張することによって、図７のゆるみ４５はなくなる。
【００２５】
ステントが非拡張状態にある間、図７のコイル４７のゆるみ４５を保持できるようにするには多くの方法がある。コイルが非拡張状態のとき、ゆるみを折りたたんでおくようにコイルを設計することができる。コイルが拡張すると、ゆるみが開いて拡張する。他の実施形態では、ゆるみは、折りたたむのではなく、スプリングの形態を取ることができる。スプリングをステントに取り付けて、ステントが拡張すると、コイルも拡張するようにすることができる。
【００２６】
図９は共鳴回路の代替実施形態を描いている。ここで、共鳴回路は、ストラット１５の外面に取り付けた導電路６５で形成されている。導電路６５は、絶縁層５５の上に貼り付けた導電層６０を含んでいる。絶縁層５５は導電性ステント材料の上に貼り付けられている。このデザインによって、共鳴回路に必要とされる容量効果が得られる。いくつかの実施形態において、導電路６５は、ステントの周りに連続らせんを形成する。導電路６５をらせん状にすると、誘導効果が得られる。導電路６５は、フォトリソグラフィーに似た方法を用いてステント上に取り付けることができる。
【００２７】
図１０に示す本発明の別の実施形態では、共鳴回路１０をバルーンカテーテル７５のバルーン７０に取り付けて内腔内にデリバーする。図１０は、回路１０をバルーン７０のひだ７２によってバルーン表面に固定する１つの実施形態を示している。すなわち、回路１０は、バルーン７０が拡張すると、バルーンのひだが開いて回路を目的位置で解放するようにバルーン７０内に収められている。他の実施形態では、回路１０を生体適合性接着剤８０でバルーン７０に固定し得る。接着剤８０は、溶解性で、回路１０をバルーン７０から徐々に解放させることができる。あるいは、接着剤８０は、脆性で、回路１０をバルーン７０から速やかに解放させることができる。言い換えると、バルーン７０が拡張すると、接着剤で固定された個所が裂ける。
【００２８】
図１２では、デリバリーチューブ８５を介して代替構造の共鳴回路１０を血管腔内にデリバーすることができる。コイル１０は、ニチノールなどの形状記憶材料、または他の弾性材料から形成し得る。この実施形態において、コイル１０は、容量性素子と組み合わせると所望の周波数で共鳴するように作る。次いで、コイル１０を実質的に線状のワイヤ素子に変形させて、デリバリーチューブ８５に挿入する。デリバリーチューブを血管腔に挿入する。デリバリーチューブ８５を血管腔内に設置したら、図１５に示すように、デリバリーチューブ８５から線状ワイヤ素子１０を抜出する。しばらくすると、線状ワイヤ素子１０はその前のコイル形状に戻るであろう。コイルが完全に元の形状に戻ったら、ステント装置をコイル内に移植し得る。図１４は、図１２および１３のコイルと組み合わせて用いる容量性素子の好ましい実施形態を描いている。容量性素子は、コイル９０上に誘電物質９５を貼り付け、次いで誘電物質９５の上に導電層１００を貼り付けて形成する。
【００２９】
図１５は、カバー１０５とコイル１１０とで形成されたそのような装置を描いている。カバー１０５は、柔軟で順応性の高い布で作られている。柔軟で順応性の高い布だと、カバーを、足首や、肘、膝などの身体部位にかぶせてぴったり固定した状態で維持することができる。コイル１１０は、弾性チューブで作られている。弾性チューブは、真直ぐに伸びて線状にならないようにカバー１０５内にコイル形態で固定する。弾性チューブは、ラテックスまたはシリコーンなどの材料から形成し得る。さらに、弾性チューブに柔軟な金属材料１２０を充填する。金属材料１２０を充填したら、弾性チューブの両端部にキャップ１１５をかぶせて金属材料１２０の漏出を防ぐ。また、キャップ１１５は、コイル１１０を他の電気素子につないで共鳴回路の形成を可能にする電気接点を有する。
【００３０】
図１６に描かれているように、本発明の代替構造では、血管内に共鳴回路を固定するための鉤部を設ける。この実施形態においては、図１６ａに示すように、回路はコイル１０を含み、コイル１０の外側１３０には、鉤部１２５が付いている。鉤部は、血管壁に埋め込むのに十分な長さおよびとがりを有するフックまたはスピアであり得る。図１６に描かれている１つの実施形態において、鉤部１２５はコイル１０全体に付いている。図１７は、鉤部１２５がコイル１０の先端部１３５と基端部１４０には付いているが、コイル１０の残りの部分に沿っては付いていない別の実施形態を示している。さもなければ、鉤部１２５は、どちらか一方の端部に付けてもよい。あるいは、鉤部１２５は、図１８に示すように、所定のパターンでコイル１０に取り付けてもよい。
【００３１】
さらに別の実施形態において、鉤部は、コイルの拡張方向とは反対方向を指向してコイル上に設けることができる。したがって、コイルが完全に拡張すると、この鉤部の方向によって、コイルは非拡張状態に戻れなくなる。
【００３２】
図１９は、コイルを具備するのではなく、ポリマーシース１５０上に回路１５５をプリントする別の構成を示している。ポリマーシース１５０は、基端部１６０と先端部１６５とを有し、その一方または両方に鉤部１２５が外側を向いて取り付けられている。
【００３３】
回路を含むポリマーシースの１つのデリバー法は、外向きの鉤部が付いたポリマーシースを拡張するステップと、ポリマーシースとバルーンカテーテルとを係合させるステップと、ポリマーシースの長さは縮小するが、その直径は拡大するようにポリマーシースを圧縮するステップとを含む。ポリマーシースを腔内に設置したら、拡張状態のポリマーシースを外向きの鉤部で適切な位置に保持する。
【００３４】
血管内に共鳴回路１０を固定する別の実施形態は、図２０に示すように、回路１０に取り付けられた少なくとも２つのステント構造体１６５を含む。回路は、基端部１３５と先端部１４０とを有し、先端部１４０に１つのステント構造体１６５が係合し、基端部１３５に１つのステント構造体が係合するようになっている。１つの実施形態において、ステ
ント構造体１６５は形状記憶材料で形成される。
【００３５】
上記開示は例示であって、包括的なものではない。この説明は、当業者に多くの変形態様および代替態様を示唆するであろう。個々の図面に示し、上記で説明したさまざまな要素は、要望に応じて、組み合わせたり、組み合わせに合うように改変したりし得る。
【００３６】
さらに、従属クレームに提示されている特定の特徴は、本発明の範囲内で他の態様と互いに組み合せ可能であるが、そのような組み合わせは、本発明が明確に、従属クレームの特徴の他の可能な組み合せを有する他の実施形態にも向けられていると認識されるようなものとする。例えば、クレーム公開のために、後続従属クレームは、多数項従属形式が管轄区域内で承認された形式であれば、そのような従属クレームに引用されたすべての先行詞を有するすべての先行クレームからそのような多数項従属形式で択一的に記載されたものとする（例えば、クレーム１に直接従属する各クレームは、すべての先行クレームに択一的に従属するものと見なされるものとする）。多数項従属クレーム形式が制限されている管轄区域では、後続の従属クレームもそれぞれ、そのような後続従属クレームに記載されている特定のクレーム以外の前の先行詞保有クレームから従属関係を生じる各単項従属クレーム形式で択一的に記載されたものと見なされものとする。
【００３７】
本ＰＣＴ出願は、２００５年８月８日に出願されたＵ．Ｓ．出願番号１１／１９８，９６１号に基づく優先権を主張する。
【図面の簡単な説明】
【００３８】
【図１】ステントストラットに巻き付けたコイルの斜視図。
【図２】ノッチ領域を有するステントストラットの斜視図。
【図２ａ】ストラットの長さに沿ったノッチ領域を有するステントストラットの斜視図。
【図２ｂ】幅に沿ったノッチ領域を有する図２ａのステントストラットの斜視図。
【図２ｃ】幅に沿ったノッチ領域を有するステントストラットの斜視図。
【図２ｄ】長さに沿ったノッチ領域を有する図２ｃのステントストラットの斜視図。
【図３】ステントストラットの周りに配置された管状コンデンサの斜視図。
【図４】ストラットに巻き付けたコイルの周りに配置された外装コンデンサの斜視図。
【図４ａ】ストラットに巻き付けたコイルに取り付けたスタブコンデンサの斜視図。
【図５】環状コンデンサの側面図。
【図６】図５に示す環状コンデンサの正面図。
【図７】非拡張状態のステントの周りに配置された非拡張状態のコイルの側面図。
【図８】拡張状態のステントの周りに拡張状態で配置された図７に示すコイルの側面図。
【図９】導電路を有するステントストラットの斜視図。
【図１０】バルーンがステントの周りに折りたたまれているバルーンカテーテルおよびステントの斜視図。
【図１１】ステントが接着剤でバルーンに固定されているバルーンカテーテルおよびステントの斜視図。
【図１２】コイルが略線状素子に変形しているデリバリーチューブの側面図。
【図１３】デリバリーチューブから引っ張り出されている図１２のコイルの側面図。
【図１４】ワイヤの周りに配置された誘電体および導体の正面図。
【図１５】フレキシブルコイルが内部に取り付けられているカバーの部分切り取り図。
【図１６】全体に鉤部が付いているコイルの側面図。
【図１６ａ】全体に鉤部が付いているコイルの斜視図。
【図１７】両端部に鉤部が付いているコイルの側面図。
【図１８】パターン状に鉤部が付いているコイルの側面図。
【図１９】回路がプリントされ、両端部に鉤部が付いているポリマーシースの側面図。
【図２０】両端部にステント型構造体が取り付けられているコイルの側面図。
【図１】
2009504237.tif 000003
【図２】
2009504237.tif 000004
【図２ａ】
2009504237.tif 000005
【図２ｂ】
2009504237.tif 000006
【図２ｃ】
2009504237.tif 000007
【図２ｄ】
2009504237.tif 000008
【図３】
2009504237.tif 000009
【図４】
2009504237.tif 000010
【図４ａ】
2009504237.tif 000011
【図５】
2009504237.tif 000012
【図６】
2009504237.tif 000013
【図７】
2009504237.tif 000014
【図８】
2009504237.tif 000015
【図９】
2009504237.tif 000016
【図１０】
2009504237.tif 000017
【図１１】
2009504237.tif 000018
【図１２】
2009504237.tif 000019
【図１３】
2009504237.tif 000020
【図１４】
2009504237.tif 000021
【図１５】
2009504237.tif 000022
【図１６】
2009504237.tif 000023
【図１６ａ】
2009504237.tif 000024
【図１７】
2009504237.tif 000025
【図１８】
2009504237.tif 000026
【図１９】
2009504237.tif 000027
【図２０】
2009504237.tif 000028
【国際調査報告】
2009504237.tif 000029
2009504237.tif 000030
2009504237.tif 000031